(57)【要約】【課題】釣用リールのスプールにおいて、釣り糸を糸止めしやすくし、かつ釣り糸を傷つけにくくする。【解決手段】釣糸係止部材５０は、釣り糸Ｌの巻き始め端Ｍを係止するためのものであり、筒状部１６に形成された係止孔５３に嵌合可能に装着される。この釣糸係止部材５０は、円筒部５１と鍔部５２とを有している。円筒部５１には釣り糸Ｌの外径より大径の貫通孔５１ａが形成されている。鍔部５２は、円筒部５１の一端における周面上で係止孔５３より大径に一体形成されている。この釣糸係止部材５０では、円筒部５１が筒状部１６の係止孔５３に嵌合可能になっており、鍔部５２が筒状部１６の内周面に接するように配置される。【選択図】      図５
2004222668.tif 000002
【特許請求の範囲】
【請求項１】
リール本体に対して前後移動するスプール軸に装着されるスピニングリールのスプールであって、
外周面に釣り糸が巻き付けられ、前記外周面から前記スプール内部に向けて貫通して形成される係止孔を有し、前記スプール軸に装着される糸巻胴部と、
前記釣り糸の外径より大径の貫通孔を有し、前記係止孔に嵌合可能かつ着脱自在に装着される釣糸係止部材と、
前記糸巻胴部の前端部に設けられた前フランジ部と、
を備えたスピニングリールのスプール。
【請求項２】
前記糸巻胴部は筒状部と前記筒状部の後端部に設けられた後フランジ部とを有し、前記係止孔が前記筒状部と前記後フランジ部とのいずれか一方に形成されている、請求項１に記載のスピニングリールのスプール。
【請求項３】
前記係止孔は円形状に形成され、前記釣り糸係止部材は前記係止孔に嵌合可能な円筒部と前記円筒部の一端に前記係止孔より大径に一体形成される鍔部とを有している、請求項１又は２に記載のスピニングリールのスプール。
【請求項４】
前記貫通孔の周縁部は、面取りされている、請求項１から３のいずれかに記載のスピニングリールのスプール。
【請求項５】
前記釣糸係止部材は、前記釣り糸に前記釣り糸の径方向外方から装着可能に第１係止部材と第２係止部材とに分割されている、請求項１から４のいずれかに記載のスピニングリールのスプール。
【請求項６】
前記第１係止部材と前記第２係止部材とは、少なくとも一部で互いに一体に連結されている、請求項５に記載のスピニングリールのスプール。
【請求項７】
前記釣糸係止部材は、合成樹脂製である、請求項１から６のいずれかに記載のスピニングリールのスプール。
【発明の詳細な説明】
【０００１】
【発明の属する技術分野】
本発明は、スプール、特に、リール本体に対して回転自在に支持され、スプール軸に装着されるスピニングリールのスプールに関する。
【０００２】
【従来の技術】
従来のスピニングリールのスプールは、リール本体に対して回転自在に支持され、スプール軸に装着されている。スプールは、糸巻胴部とフランジ部とを備えている。糸巻胴部は、係止孔を有し、外周面に釣り糸が巻き付けられている。係止孔は、外周面からスプール軸側に向けて貫通して形成されている。係止孔は、釣り糸より大径に形成されており、この係止孔に釣り糸が挿入可能になっている。フランジ部は、糸巻胴部の両端に設けられている。このようなスプールに、釣り糸を巻き付けるとき、釣り糸巻き始め端は、糸巻胴部の係止孔に挿入され、糸巻胴部の内側で係止される。（たとえば、特許文献１参照）
【０００３】
【特許文献１】
実公平４−１３９７２号公報（第１図）
【０００４】
【発明が解決しようとする課題】
従来のスピニングリールのスプールでは、釣り糸を巻きつけるとき、釣り糸の端部が、糸巻胴部の係止孔に挿入され、糸巻胴部の内側で係止されるようになっている。このとき、係止孔に釣り糸を挿入しようとすると、係止孔は釣り糸の外径より僅かに大径に形成されているにすぎないので、釣り糸を係止孔に挿通しずらく糸止めしにくい。また、釣り糸を係止孔に挿入して係止したとしても、係止孔周縁部によって釣り糸が傷つけられてしまうおそれがある。
【０００５】
本発明の課題は、スピニングリールのスプールにおいて、釣り糸を糸止めしやすくし、かつ釣り糸を傷つけにくくすることにある。
【０００６】
【課題を解決するための手段】
発明１に係るスピニングリールのスプールは、リール本体に対して回転自在に支持され、スプール軸に装着されるスピニングリールのスプールであって、糸巻胴部と、釣糸係止部材と、前フランジ部とを備えている。糸巻胴部は、外周面からスプール内部に向けて貫通して形成される係止孔を有し、外周面に釣り糸が巻き付けられる。釣糸係止部材は、釣り糸の外径より大径の貫通孔を有し、係止孔に嵌合可能かつ着脱自在に装着されている。前フランジ部は、糸巻胴部の前端部に設けられている。
【０００７】
このスピニングリールのスプールでは、まず、釣糸係止部材をスプールから取り外しておき、釣り糸を糸巻胴部の係止孔に挿入してスプール内部に引き出す。この状態で、釣り糸を、さらに釣糸係止部材の貫通孔に挿通し、釣糸係止部材に係止する。次に、釣糸係止部材を、糸巻胴部に形成された係止孔に装着する。このようにして、釣り糸をスプールに糸止めする。最後に、前端部に前フランジ部が設けられた糸巻胴部をスプール軸に装着し、これによりスプールはリール本体に回転自在に支持される。
【０００８】
ここでは、釣糸係止部材に形成された貫通孔が釣り糸の外径より大径に形成されているので、釣糸係止部材の外形は釣り糸の外径と比較してより大きく形成されることになる。この釣糸係止部材が、糸巻胴部の係止孔に嵌合可能になっていることから、係止孔の内径も釣り糸の外径と比較してより大きく形成されることとなり、釣り糸は係止孔に容易に挿入することができる。そして、釣り糸が貫通孔に挿通され釣糸係止部材に係止された後、釣糸係止部材が係止孔に装着されるので、釣り糸を糸巻胴部に容易に固定することができる。また、釣糸係止部材を係止孔に装着後は、釣り糸が係止孔の内周面に接触しないので、釣り糸が糸巻胴部の係止孔周縁部によって傷つきにくい。なお、釣り糸が係止孔の内周面に接触しないようにすることで、係止孔のバリ取りやエッジ処理を高精度に行う必要がなくなり、係止孔の加工が容易になる。
【０００９】
発明２に係るスピニングリールのスプールは、発明１に記載のスピニングリールのスプールにおいて、糸巻胴部が、筒状部と、筒状部の後端部に設けられた後フランジ部とを有している。このとき、係止孔は、筒状部と後フランジ部とのいずれか一方に形成されている。この場合、係止孔が筒状部と後フランジ部とのいずれか一方に形成されているので、スプールの形状に応じて、係止孔を設ける位置に自由度をもたせることができ、釣り糸を糸止めしやすい位置に釣糸係止部材を装着することができる。
【００１０】
発明３に係るスピニングリールのスプールは、発明１又は２に記載のスピニングリールのスプールにおいて、係止孔が円形状に形成され、釣り糸係止部材が係止孔に嵌合可能な円筒部と円筒部の一端に係止孔より大径に一体形成される鍔部とを有している。この場合、釣糸係止部材が、円筒部の一端で係止孔より大径に一体形成される鍔部を有しているので、釣り糸係止部材が係止孔から抜け出さないように規制することができる。
【００１１】
発明４に係るスピニングリールのスプールは、発明１から３のいずれかに記載のスピニングリールのスプールにおいて、貫通孔の周縁部が面取りされている。この場合、貫通孔の周縁部が面取りされているので、釣り糸を貫通孔に挿通させて釣糸係止部材に係止したとしても、釣り糸が貫通孔の周縁部によって傷つけられないようにすることができる。また、釣り糸が貫通孔の周縁部に接触した状態で、釣り糸に引張力が働くような場合に、釣り糸に対して貫通孔の周縁部における応力集中を緩和することができる。
【００１２】
発明５に係るスピニングリールのスプールは、発明１から４のいずれかに記載のスピニングリールのスプールにおいて、釣糸係止部材が、釣り糸に釣り糸の径方向外方から装着可能に第１係止部材と第２係止部材とに分割されている。この場合、釣糸係止部材が第１係止部材と第２係止部材とに分割されており、第１および第２係止部材を釣り糸の径方向外方から釣り糸に装着させているので、第１係止部材と第２係止部材とで釣り糸を挟持することができ、釣り糸を貫通孔に挿通することなく釣り糸を容易に貫通孔に配置することができる。
【００１３】
発明６に係るスピニングリールのスプールは、発明５に記載のスピニングリールのスプールにおいて、第１係止部材と第２係止部材とが、少なくとも一部で互いに一体に連結されている。この場合、第１係止部材と第２係止部材とが少なくとも一部で互いに一体に連結されているので、第１および第２係止部材のいずれか一方に釣り糸を配置すれば、第１および第２係止部材のいずれか他方を折りたたむことによって釣り糸を貫通孔に容易に配置することができる。また、第１係止部材と第２係止部材とが連結されていれば、両係止部材の紛失防止にも役立つ。
【００１４】
発明７に係るスピニングリールのスプールは、発明１から６のいずれかに記載のスピニングリールのスプールにおいて、釣糸係止部が合成樹脂製になっている。この場合、釣糸係止部材が合成樹脂製になっているので、釣糸係止部材の形状を任意に形成することができ、係止孔の形状に応じて釣糸係止部材を容易に成形することができる。
【００１５】
【発明の実施の形態】
〔スピニングリールの構成〕
図１に、本発明の一実施形態によるスピニングリールを示す。
スピニングリールは、ハンドル１を回転自在に支持するリール本体２と、ロータ３と、スプール４とを備えている。
【００１６】
リール本体２は、図１および図２に示すように、リールボディ２ａと、リールボディ２ａから上方に延びる竿取付脚部２ｂとを有している。リールボディ２ａの内部には収納空間が形成されている。この収納空間にはハンドル１の回転に連動してロータ３を回転させるロータ駆動機構５と、スプール４を前後に移動させて釣り糸Ｌを均一に巻き取るためのオシレーティング機構６とが設けられている。リールボディ２ａは、本体部材２０と、蓋部材（図示しない）と、カバー部材２３とを有している。本体部材２０は、内部に前述の収納空間が形成されており、側面に開口部を有している。蓋部材は、本体部材２０側面の開口部を塞ぐように、本体部材２０にねじ止めされている。カバー部材２３は、本体部材２０及び蓋部材の後方外形に沿って装着されている。
【００１７】
ロータ３は、図２に示すように、リール本体２の前部に回転自在に支持されている。ロータ３は、ロータ円筒部３０と、第１ロータアーム３１および第２ロータアーム３２とを有している。第１および第２ロータアーム３１，３２は、ロータ円筒部３０の側方に互いに対向して設けられている。ロータ円筒部３０と第１および第２ロータアーム３１，３２とは、たとえばアルミニウム合金製であり、互いが一体に成形されている。第１および第２ロータアーム３１，３２は、ロータ円筒部３０の周面上で周方向に広がりをもたせて接続させており、ロータ円筒部３０から外方に突出して湾曲しながら前方に延びている。第１ロータアーム３１は、先端に第１ベール支持部材４０が揺動自在に装着されている。そして、第１ベール支持部材４０の先端には、釣り糸Ｌをスプール４に案内するためのラインローラ４１が装着されている。第２ロータアーム３２は、先端に第２ベール支持部材４２が揺動自在に装着されている。ラインローラ４１と第２ベール支持部材４２との間には、線材を略Ｕ状に湾曲させた形状のベール４３が固定されている。このように、第１ベール支持部材４０および第２ベール支持部材４２、ラインローラ４１、ベール４３によって、釣り糸Ｌをスプール４に案内するベールアーム４４が構成される。ベールアーム４４は、図２に示す糸案内姿勢とそれから反転した糸開放姿勢との間で揺動自在になっている。
【００１８】
ロータ駆動機構５は、図２に示すように、ハンドル１が連結されたハンドル軸１０とともに回転するフェースギア１１と、フェースギア１１に噛み合うピニオンギア１２とを有している。ピニオンギア１２は、筒状に形成されており、ロータ３の中心部を貫通している。このピニオンギア１２は、中間部と後端部とに配置された軸受１４ａ、１４ｂを介して、リール本体２に対して回転自在に支持されている。また、ピニオンギア１２は、前部においてナット１３によってロータ３に固定されている。
【００１９】
スプール４は、釣り糸Ｌを外周面に巻き取るものであり、図２に示すように、ロータ３の第１ロータアーム３１と第２ロータアーム３２との間に配置されている。そして、ドラグ機構６０を介してスプール軸１５の先端に前後移動自在に装着されている。このスプール４は、糸巻胴部７ａと、釣糸係止部材５０と、前フランジ部８と、フランジ固定部材９とを有している。
【００２０】
糸巻胴部７ａは、図３に示すように、たとえばアルミニウム合金をダイカスト成形して得られた円筒状の部材である。糸巻胴部７ａは、外周に釣り糸Ｌが巻かれる筒状部１６ａと、筒状部１６ａの後端部に設けられた後フランジ部１６ｂと、筒状部１６ａの後端部内周側に一体成形された円板部１６ｃとを有している。筒状部１６ａの内周面には、雌ねじ部１６ｄが形成されている。後フランジ部１６ｂは、筒状部１６ａの外径より大径にリング状に形成されている。後フランジ部１６ｂには、円形状の係止孔５３が後フランジ部１６ｂの糸巻付け側からスプール４の内部に向けて貫通して設けられている。また、後フランジ部１６ｂの外周端には、スカート部７ｂが一体成形されている。このような糸巻胴部７ａは、円板部１６ｃにおいて、軸受１４ｃを介してスプール軸１５に回転自在に装着されている。
【００２１】
釣糸係止部材５０は、図３に示すように、釣り糸Ｌの巻き始め端Ｍを係止するためのものであり、後フランジ部１６ｂに形成された係止孔５３に嵌合可能に装着される。この釣糸係止部材５０は、たとえば合成樹脂製であり、図４に示すように、円筒部５１と鍔部５２とを有している。円筒部５１には釣り糸Ｌの外径より大径の貫通孔５１ａが形成されており、この貫通孔５１ａの内周縁部は面取りされている。鍔部５２は、円筒部５１の一端における周面上で係止孔５３より大径に一体形成されている。この釣糸係止部材５０では、図５に示すように、円筒部５１が後フランジ部１６ｂの係止孔５３に嵌合可能になっており、鍔部５２がスプール４の内側で後フランジ部１６ｂに接するように配置される。このように鍔部５２がスプール４の内側で後フランジ部１６ｂに接するように配置されることで、釣糸係止部材５０が係止孔５３から後フランジ部１６ｂの糸巻付け側に抜け出さないように規制されている。
【００２２】
前フランジ部８は、たとえば金属製又は硬質セラミックス製の円板状の部材であり、図３に示すように、外周に行くほど前方に傾斜するように形成されている。この前フランジ部８は、糸巻胴部７ａの前部に配置され、フランジ固定部材９によって糸巻胴部７ａに固定される。
フランジ固定部材９は、前フランジ部８を糸巻胴部７ａに固定するためのものであり、図３に示すように、雄ねじ部９ａと、ドラグ収納部９ｂと、当接部９ｃとを有している。雄ねじ部９ａは、筒状に形成され、糸巻胴部７ａの筒状部１６ａ内周面に形成された雌ねじ部１６ｄに螺合可能になっている。ドラグ収納部９ｂは、雄ねじ部９ａの内周側で雄ねじ部９ａより小径の筒状に一体形成され、ドラグ機構６０の複数のドラグ板６２を内部に収納可能な空間を有している。当接部９ｃは、雄ねじ部９ａの先端に一体に形成され、前フランジ部８に当接可能になっている。ここで、ドラグ機構６０は、スプール４にドラグ力を作用させるための機構であり、スプール４とスプール軸１５との間に装着されている。
【００２３】
オシレーティング機構６は、図２に示すように、スプール軸１５を前後方向に移動させて、ドラグ機構６０を介してスプール軸１５に連結されたスプール４を同方向に移動させるための機構である。オシレーティング機構６は、スプール軸１５の下方に平行に配置された螺軸１９と、螺軸１９に沿って前後方向に移動するスライダ１７と、螺軸１９の先端に固定された中間ギア１８とを有している。スライダ１７は、スプール軸１５の後端に回転不能に固定されている。中間ギア１８は、図示しない減速機構を介してピニオンギア１２に噛み合っている。
【００２４】
〔釣り糸の糸止めおよびスプールの組み立て手順〕
以上のようなスプール４を組み立てるためには、まず、フランジ固定部材９のドラグ収納部９ｂにドラグ機構６０を収納する。そして、糸巻胴部７ａの前部に前フランジ部８を配置する。この状態で、フランジ固定部材９の雄ねじ部９ａを糸巻胴部７ａの雌ねじ部１６ｄにねじ込んで、フランジ固定部材９の当接部９ｃを前フランジ部８に当接させ、前フランジ部８を糸巻胴部７ａに固定する。次に、釣糸係止部材５０をスプール４から取り外しておき、釣り糸Ｌの巻き始め端Ｍを、後フランジ部１６ｂの糸巻付け側からスプール４の内部に向けて係止孔５３に挿通し、スプール４の内部から外部に引き出す。そして、釣り糸Ｌの巻き始め端Ｍを、釣糸係止部材５０の円筒部５１から鍔部５２に向けて貫通孔５１ａに挿入して鍔部５２側に引き出す。この釣り糸Ｌの巻き始め端Ｍに、貫通孔５１ａの内径より大きくなるような結び目を作る。このように釣り糸Ｌの巻き始め端Ｍを釣糸係止部材５０に係止しておいて、釣糸係止部材５０の円筒部５１を後フランジ部１６ｂの係止孔５３に嵌め込む。そして、釣糸係止部材５０の鍔部５２が、スプール４の内側で後フランジ部１６ｂに接するまで、釣糸係止部材５０を係止孔５３に嵌挿して装着する。このようにして組み立てられたスプール４を、ロータ３の前部に配置してスプール軸１５の先端に装着すると、釣り糸Ｌを糸巻胴部７ａの周面に巻き付けることができる状態になる。
【００２５】
以上のように、釣り糸Ｌをスプール４に糸止めするとき、糸止めしやすくしておくことは、糸止め作業をストレスなく迅速に行うためには重要である。また、糸止めするにしても、釣り糸Ｌが傷つかないように考慮しておくことが、釣り糸Ｌを糸巻胴部７ａに確実に巻き付けていくためには必要である。従来の糸止め作業では、釣り糸Ｌを係止孔５３に直接挿通して糸止めしていたため、釣り糸Ｌを係止孔５３に挿入しにくかった。また、釣り糸Ｌを係止孔５３に挿入して糸止めすることができたとしても、係止孔５３周縁部によって釣り糸Ｌが傷つけられてしまうおそれがあった。しかしながら、本実施形態では、釣糸係止部材５０に形成された貫通孔５１ａが釣り糸Ｌの外径より大径に形成されているので、釣糸係止部材５０の外形は釣り糸Ｌの外径と比較してより大きく形成されることになる。この釣糸係止部材５０が、糸巻胴部７ａの係止孔５３に嵌合されることから、係止孔５３の内径も釣り糸Ｌの外径と比較してより大きく形成されることになり、釣り糸Ｌは係止孔５３に容易に挿入することができる。そして、釣り糸Ｌを釣糸係止部材５０に係止した後、釣糸係止部材５０を糸巻胴部７ａの係止孔５３に装着することで、釣り糸Ｌをスプール４に容易に糸止めすることができる。このように、釣り糸Ｌをスプール４に糸止めすると、釣り糸Ｌが糸巻胴部７ａの係止孔５３の内周面に接触しなくなるので、釣り糸Ｌは係止孔５３周縁部によって傷つきにくくなる。
【００２６】
〔他の実施形態〕
（ａ）  前記実施形態では、釣糸係止部材５０は糸巻胴部７ａの略中央部に設けられていたが、これに限定されるものではなく、糸巻胴部７ａの任意位置に配置可能である。
（ｂ）  前記実施形態では、釣り糸Ｌを貫通孔５１ａに挿通して釣糸係止部材５０に係止した場合の例を示したが、釣糸係止部材５０は、前記実施形態に限定されず、釣り糸Ｌを釣糸係止部材５０に係止することができれば、どのようなものでも良い。たとえば、図６および図７に示すように、第１貫通溝５５ａおよび第２貫通溝５６ａが第１係止部材５５および第２係止部材５６にそれぞれ配置されるように、前記実施形態の釣糸係止部材５０を円筒部５１の軸方向に沿って分割する。すると、釣り糸Ｌの下面を第１貫通溝５５ａに沿うように配置し、釣り糸Ｌの上面に第２貫通溝５６ａを嵌め合わせることで、第１係止部材５５と第２係止部材５６とは連結される。このように釣糸係止部材５０を分割することで、前記実施形態と同様の効果が得られるだけでなく、釣り糸Ｌを貫通孔５１ａに挿通する必要がなくなり、釣り糸Ｌを第１および第２係止部材５５，５６に容易に配置することができる。また、第１および第２係止部材５５，５６の鍔部５５ｂ，５６ｂに連結部５７を設けて、この連結部５７に釣り糸Ｌの巻き始め端Ｍを結びつけることで、釣り糸Ｌを第１および第２係止部材５５，５６に確実に糸止めすることができる。なお、第１係止部材５５と第２係止部材５６とは連結部５７によって連結されているので、釣糸係止部材５０を分割しても、第１係止部材５５と第２係止部材５６とを紛失しにくい。
【００２７】
（ｃ）  前記実施形態では、釣糸係止部材５０をスプール４の後フランジ部１６ｂに装着した場合の例を示したが、釣糸係止部材５０の装着位置は、前記実施形態に限定されず、釣糸係止部材５０をスプール４に装着できさえすれば、どのような位置でも良い。たとえば、図８に示すように、糸巻胴部２７ｂの内周面にスプール４の後方から接触することができるようなスピニングリールのスプール４ａでは、フランジ部２７ａだけでなく糸巻胴部２７ｂにも係止孔２８ｂを形成することができる。このようなスプール４ａでは、フランジ部２７ａ又は糸巻胴部２７ｂのいずれかに係止孔を形成し、この係止孔（ここでは２８ｂ）に釣糸係止部材５０ａを装着することで、前記実施形態と同様の効果を得ることができる。なお、このスピニングリールのスプール４ａは、スプール軸１５ａに回転不能かつ着脱自在のワンタッチスプールである。
【００２８】
（ｄ）  前記実施形態は、スピニングリールのスプール４，４ａの説明を行うための例を示したにすぎず、レバーブレーキやリアドラグを有するスピニングリールのスプール、ドラグ機構６０を有さないスピニングリールのスプール等にも、本発明は適用できる。
【００２９】
【発明の効果】
本発明によれば、スピニングリールのスプールにおいて、係止孔の内径が釣り糸の外径と比較してより大きく形成されているので、釣り糸を係止孔に容易に挿通することができる。そして、釣り糸が貫通孔に挿通され釣糸係止部材に係止された後、釣糸係止部材が係止孔に装着されるので、釣り糸を糸巻胴部に容易に固定することができる。また、釣糸係止部材を係止孔に装着後は、釣り糸が係止孔の内周面に接触しないので、釣り糸が糸巻胴部の係止孔周縁部によって傷つきにくい。
【図面の簡単な説明】
【図１】本発明の一実施形態によるスピニングリールの右側面図。
【図２】前記スピニングリールの左側面断面図。
【図３】前記スピニングリールのスプールの拡大断面図。
【図４】前記スピニングリールのスプールに装着される釣糸係止部材の斜視図。
【図５】前記スピニングリールのスプールに装着される釣糸係止部材の断面図。
【図６】他の実施形態による釣糸係止部材の図４に相当する図。
【図７】他の実施形態による釣糸係止部材の図５に相当する図。
【図８】他の実施形態によるスピニングリールのスプール部分の断面図。
【符号の説明】
４  スプール
７ａ  糸巻胴部
７ｂ  スカート部
８  前フランジ部
９  フランジ固定部材
９ａ  雄ねじ部
９ｂ  ドラグ収納部
９ｃ  当接部
１５  スプール軸
１６ａ  筒状部
１６ｂ  後フランジ部
１６ｃ  円板部
１６ｄ  雌ねじ部
５０  釣糸係止部材
５１  円筒部
５１ａ  貫通孔
５２，５５ｂ、５６ｂ  鍔部
５３  係止孔
５５  第１係止部材
５５ａ  第１貫通溝
５６  第２係止部材
５６ａ  第２貫通溝
５７  連結部
【図１】
2004222668.tif 000003
【図２】
2004222668.tif 000004
【図３】
2004222668.tif 000005
【図４】
2004222668.tif 000006
【図５】
2004222668.tif 000007
【図６】
2004222668.tif 000008
【図７】
2004222668.tif 000009
【図８】
2004222668.tif 000010